(57)【要約】【課題】ＭＰＥＧ方式のような画面間の相関を用いて符号化して間欠記録する場合であっても、画質を低下させることなく連続再生画可能とする。【解決手段】記録装置は、入力された画像データ列より周期的に１フレームの画像データを抽出し、この抽出された画像データをＭＰＥＧ方式にて符号化して記録媒体に記録する装置であって、前記抽出された１フレームの画像データと同一の画像データをダミーのフレームとして少なくとも１フレーム挿入し、前記ダミーフレームの画像データを画面間符号化により符号化して記録する構成とした。【選択図】　　　図６
2004064210.tif 000002
【特許請求の範囲】
【請求項１】
複数のフレームからなる画像データ列より間欠的に１画面の画像データを抽出すると共に前記抽出された１画面の画像データを所定回数繰り返し出力する抽出手段と、
前記抽出手段より出力された画像データを画面内符号化方法及び画面間符号化方法を用いて符号化する符号化手段と、
前記符号化手段により符号化された画像データを記録媒体に記録する記録手段とを備える記録装置。
【請求項２】
前記符号化手段は前記抽出手段より２回目以降に出力された前記１画面の画像データを画面間符号化方法にて符号化することを特徴とする請求項１記載の記録装置。
【請求項３】
前記符号化手段は前記抽出手段より１回目に出力された前記１画面の画像データを前記画面内符号化方法または画面間符号化方法により符号化することを特徴とする請求項２記載の記録装置。
【請求項４】
前記所定回数を任意に設定する設定手段と、前記設定手段により設定された回数に応じて前記抽出手段と前記符号化手段とを制御する制御手段とを備えたことを特徴とする請求項１記載の記録装置。
【請求項５】
前記抽出手段は入力された前記画像データ列を記憶するメモリを有し、前記制御手段は前記メモリに対して前記画像データ列のＮ画面毎に１画面の画像データを書き込む様前記メモリを制御することを特徴とする請求項１記載の記録装置。
【請求項６】
前記画像データの画面数をカウントするカウンタを備え、前記制御手段は前記カウンタのカウント値に基づいて前記メモリに対する前記画像データの書き込み及び読み出しを制御することを特徴とする請求項５記載の記録装置。
【請求項７】
前記符号化された画像データの符号量に基づいて前記所定回数を決定する制御手段を備えたことを特徴とする請求項１記載の記録装置。
【請求項８】
前記制御手段は前記画像データの符号量に基づいて得られたデータレートが所定レートを越えないように前記所定回数を決定することを特徴とする請求項７記載の記録装置。
【請求項９】
前記制御手段は前記画像データの符号量に基づいて得られたデータレートが前記所定レートを超えている場合に前記１画面の画像データを繰り返し読み出す回数を増加させることを特徴とする請求項８記載の記録装置。
【請求項１０】
前記抽出手段は前記画像データの符号量に基づいて得られたデータレートが前記記録された画像データの再生時のレートを越えないように前記所定回数を決定することを特徴とする請求項８記載の記録装置。
【請求項１１】
前記符号化手段は目標符号量に応じて前記画像データの各画面に対する符号量を分配して符号化し、更に、前記メモリより２回目以降に出力された前記１画面の画像データを目標符号量の分配対象から除外することを特徴とする請求項１記載の記録装置。
【請求項１２】
複数のフレームからなる画像データ列より間欠的に１画面の画像データを抽出する抽出手段と、
前記抽出手段より出力された１画面の画像データを画面内符号化方式または画面間符号化方式により符号化すると共に、復号時において前記１画面の画像データと同一の画像データを所定回数出力するための画面間符号化データを前記符号化された１画面の画像データに付加して出力する符号化手段と、
前記符号化手段より出力された画像データを記録媒体に記録する記録手段とを備える記録装置。
【請求項１３】
前記所定回数を任意に設定する設定手段と、前記設定手段により設定された回数に応じて前記抽出手段と前記符号化手段とを制御する制御手段とを備えたことを特徴とする請求項１２記載の記録装置。
【請求項１４】
前記抽出手段は入力された前記画像データ列を記憶するメモリを有し、前記制御手段は前記メモリに対して前記画像データ列のＮ画面毎に１画面の画像データを書き込む様前記メモリを制御することを特徴とする請求項１２記載の記録装置。
【請求項１５】
前記画像データの画面数をカウントするカウンタを備え、前記制御手段は前記カウンタのカウント値に基づいて前記メモリに対する前記画像データの書き込みを制御することを特徴とする請求項１４記載の記録装置。
【請求項１６】
前記符号化された画像データの符号量に基づいて前記所定回数を決定する制御手段を備えたことを特徴とする請求項１２記載の記録装置。
【請求項１７】
前記制御手段は前記画像データの符号量に基づいて得られたデータレートが所定レートを越えないように前記所定回数を決定することを特徴とする請求項１６記載の記録装置。
【請求項１８】
前記制御手段は前記画像データの符号量に基づいて得られたデータレートが前記所定レートを超えている場合に所定回数を増加させることを特徴とする請求項１７記載の記録装置。
【請求項１９】
前記抽出手段は前記画像データの符号量に基づいて得られたデータレートが前記記録された画像データの再生時のレートを越えないように前記所定回数を決定することを特徴とする請求項１７記載の記録装置。
【請求項２０】
入力された画像データ列より周期的に１フレームの画像データを抽出し、この抽出された画像データをＭＰＥＧ方式にて符号化して記録媒体に記録する装置であって、
前記抽出された１フレームの画像データと同一の画像データをダミーのフレームとして少なくとも１フレーム挿入し、前記ダミーフレームの画像データを画面間符号化により符号化して記録することを特徴とする記録装置。
【請求項２１】
複数のフレームからなる画像データ列より間欠的に１画面の画像データを抽出する抽出手段と、
前記抽出手段より出力された１画面の画像データを画面内符号化方式または画面間符号化方式により符号化すると共に、前記１画面の画像データに対して差分０を示す画面間符号化データを前記符号化された１画面の画像データに付加して出力する符号化手段と、
前記符号化手段より出力された画像データを記録媒体に記録する記録手段とを備える記録装置。
【請求項２２】
前記符号化手段は前記差分０を示す画面間符号化データをＭ画面分付加して出力することを特徴とする請求項２１記載の記録装置。
【請求項２３】
前記画像データの符号量に応じて前記Ｍの値を決定する制御手段を備え、前記制御手段は前記画像データの符号量に基づいて得られたデータレートが所定レートを越えないように前記Ｍの値を決定することを特徴とする請求項２２記載の記録装置。
【請求項２４】
前記画像データの符号量に応じて前記Ｍの値を決定する制御手段を備え、前記制御手段は前記画像データの符号量に基づいて得られたデータレートが前記記録された画像データの再生時のレートを越えないように前記Ｍの値を決定することを特徴とする請求項２２記載の記録装置。
【請求項２５】
前記Ｍの値を任意に設定する設定手段を備えたことを特徴とする請求項２２記載の記録装置。
【請求項２６】
複数のフレームからなる画像データ列より間欠的に１画面の画像データを抽出すると共に前記抽出された１画面の画像データを所定回数繰り返し出力する抽出処理と、
前記抽出手段より出力された画像データを画面内符号化方法及び画面間符号化方法を用いて符号化する符号化処理と、
前記符号化手段により符号化された画像データを記録媒体に記録する記録処理とを有する記録方法。
【請求項２７】
複数のフレームからなる画像データ列より間欠的に１画面の画像データを抽出する抽出処理と、
前記抽出手段より出力された１画面の画像データを画面内符号化方式または画面間符号化方式により符号化すると共に、復号時において前記１画面の画像データと同一の画像データを所定回数出力するための画面間符号化データを前記符号化された１画面の画像データに付加して出力する符号化処理と、
前記符号化手段より出力された画像データを記録媒体に記録する記録処理とを備える記録方法。
【請求項２８】
入力された画像データ列より周期的に１フレームの画像データを抽出し、この抽出された画像データをＭＰＥＧ方式にて符号化して記録媒体に記録する方法であって、
前記抽出された１フレームの画像データと同一の画像データをダミーのフレームとして少なくとも１フレーム挿入し、前記ダミーフレームの画像データを画面間符号化により符号化して記録することを特徴とする記録方法。
【請求項２９】
複数のフレームからなる画像データ列より間欠的に１画面の画像データを抽出する抽出処理と、
前記抽出手段より出力された１画面の画像データを画面内符号化方式または画面間符号化方式により符号化すると共に、前記１画面の画像データに対して差分０を示す画面間符号化データを前記符号化された１画面の画像データに付加して出力する符号化処理と、
前記符号化手段より出力された画像データを記録媒体に記録する記録処理とを備える記録装置。
【請求項３０】
請求項２６〜請求項２９に記載の方法をコンピュータを用いて実現するためのコンピュータプログラムを記憶した記憶媒体。
【発明の詳細な説明】
【０００１】
【発明の属する技術分野】
本発明は記録装置に関し、特には画像データを間欠的に記録する装置に関する。
【０００２】
【従来の技術】
従来、カメラで撮影された画像を間欠的に記録する装置が知られている。
【０００３】
例えば、監視用途ではいわゆるタイムラプスレコーダがある。タイムラプスレコーダでは、入力された一連の画像より１フレームないし数フレームを間欠的に抽出して記録することで、長時間の監視を可能にしている。
【０００４】
そして、近年のデジタル信号処理技術の進歩により、この様な間欠記録を行う装置においてもＪＰＥＧなどの符号化方式により画像信号を符号化してその情報量を圧縮して記録することが多い。
【０００５】
一方、画像信号をさらに効率的に符号化する方式として、ＭＰＥＧと呼ばれる高能率符号化方式がよく知られており、ＤＶＤビデオ規格等で採用されている。この方式は、ＪＰＥＧに代表されるフレーム内符号化方式に加えて、フレーム間の相関を利用することによりさらに大きな圧縮率を得る方式である。とくにカムコーダのように動画像を記録する装置に適用すると効果が大きい。
【０００６】
【発明が解決しようとする課題】
さて、前述の様に、ＭＰＥＧ符号化方式はＪＰＥＧに比べてより大きな圧縮率で画像信号を圧縮でき、発生する符号量を少なくすることができる。そこで、前述の間欠記録装置においてＭＰＥＧ符号化方式を適用することで、より長時間の記録を図ることを考える。
【０００７】
しかし、ＭＰＥＧ符号化方式は、本来フレーム間の相関を利用することで符号化効率を向上する方式のため、単純にＭＰＥＧ符号化を間欠記録に応用しても、間欠的に抽出された画像間で相関が少ない場合、本来の圧縮率が得られなくなる。
【０００８】
また、ＭＰＥＧ符号化方式では、デコーダの互換性をとるため符号化レート（単位時間あたりの符号量）の上限が規定されており、さらに連続再生を目的とした場合、ディスクやテープといった記録メディアの再生レートにも上限がある。
【０００９】
従って、ＭＰＥＧ符号化装置が規格を満足するように符号化レートを抑えた場合には画質が不十分となることも考えられる。あるいは、符号化レートの調整を行わずに記録した場合には、その画像を再生する際、再生機器の再生レートを越えてしまい連続再生が不可能になってしまうといった課題がある。
【００１０】
例えば、一般的なＴＶ画質のモードでは、符号化レートの上限として１５Ｍｂｐｓが規定されている。
【００１１】
本発明はこの様な問題点を解決することを目的とする。
【００１２】
本発明の他の目的は、画像信号をＭＰＥＧ符号化方式のような画面間の相関を用いて符号化して間欠記録する場合であっても、画質を低下させることなく連続再生を可能にする処にある。
【００１３】
【課題を解決するための手段】
前述の如き目的を達成するため、本発明にあっては、複数のフレームからなる画像データ列より間欠的に１画面の画像データを抽出すると共に前記抽出された１画面の画像データを所定回数繰り返し出力する抽出手段と、前記抽出手段より出力された画像データを画面内符号化方法及び画面間符号化方法を用いて符号化する符号化手段と、前記符号化手段により符号化された画像データを記録媒体に記録する記録手段とを備える構成とした。
【００１４】
【発明の実施の形態】
以下、本発明の実施形態について説明する。
【００１５】
まず、本形態における間欠記録時の符号化処理の考え方について説明する。
【００１６】
ＭＰＥＧ符号化において符号化される各フレームは図３に示すように、Ｉピクチャ、Ｐピクチャ、Ｂピクチャと呼ぶ３種類のピクチャタイプに分類される。
【００１７】
Ｉピクチャはフレーム内符号化を行うフレームであり、他のフレームの情報を参照しないで単独に符号化／復号化できるが、符号量を多く必要とする。Ｐピクチャは１ないし複数フレーム時間先行するＩまたはＰピクチャから動き補償予測した画面との差分を符号化するいわゆるフレーム間予測符号化を行うフレームであり、Ｉピクチャに比べて符号量を大幅に減らすことが可能である。Ｂピクチャは先行するＩまたはＰピクチャから予測するだけでなく、後続するＩまたはＰピクチャからも予測を行う双方向フレーム間予測符号化を行うフレームであり、Ｐピクチャよりさらに符号量を削減できる。
【００１８】
符号化効率を向上させるためにはＰおよびＢピクチャを多く使用すればよいが、サーチなどの特殊再生や編集、エラー時の復帰性能を考慮して、図３のように適当な間隔でＩピクチャを挿入して符号化するのが一般的である。尚、図３に示す様なＩピクチャを含む複数フレームの単位をＧＯＰ（Ｇｒｏｕｐ　Ｏｆ　Ｐｉｃｔｕｒｅ）と呼んでいる。また、図中の矢印はフレーム予測の方向を示している。
【００１９】
次に、図５（ａ）は、入力された画像データ列から間欠的に画像データを抽出してＭＰＥＧ符号化する様子を示している。図５では説明を簡単にするためＢピクチャを省略しているが、Ｂピクチャを使用しても発明の本質には影響ない。
【００２０】
例えば、三脚で固定したビデオカメラで花の開花の様子を撮影する様な場合、符号化するフレームの間隔が図５（ａ）のように離れている場合でも、画像の間の相関が高いためにＭＰＥＧ符号化による本来の圧縮効率が発揮されるため、生成する符号量は図５（ｂ）の様になり連続再生も問題なく可能となる。
【００２１】
しかし、動きの速い画像に対して同様に符号化処理を行うと、フレーム間の相関が低くなるため、図５（ｃ）に示す様にフレーム相関を使用するＰピクチャの符号量が多くなってしまう。そこで、符号化の際に符号量制御を行って全体の符号量を抑えてしまうと、図５（ｄ）に示すような符号量となり、結果的に画質が低下する。これは、図５（ｂ）及び図５（ｄ）のＩピクチャの符号量の差より明白である。
【００２２】
また、画質に重点をおいて目標レートを高めに設定して図５（ｃ）の状態で符号化された画像データを記録した場合は、再生時にメディアからの読み出しレートが追いつかずアンダーランする可能性があり、やはり問題となる。
【００２３】
これに対し、図６は本形態による符号化の様子を示している。入力された画像データ列から間欠的に抽出したフレームをＭＰＥＧ符号化する点は同じであるが、図６（ａ）に示すように、抽出したフレームの画像データを２回づつ符号化し、更に、２番目のデータ６０２ａ〜６０２ｅをそれぞれＰピクチャとして符号化している。Ｐピクチャは前フレームとの差分を符号化するため、２番目の画像データ６０２ａ〜６０２ｅではそれぞれその前フレーム６０１ａ〜６０１ｅと差分が無いことになり実質的に符号が発生しない（ヘッダなどの枠組み情報に必要な情報量は必要であるが、ここでは純粋に画像信号のみによる符号量を考える）。
【００２４】
この結果、発生する符号量は図６図（ｂ）に示す様になる。尚、図６においてＰ’ピクチャ６０２ａ〜６０２ｅに符号が発生しているように見えるが、これは説明のために大きく図示しているためであり、前述の様に殆ど符号量は発生しない。
【００２５】
以上の様に符号化して記録した場合、再生時には復号して出力するフレーム数、即ち再生時間が２倍となるため、画質を犠牲にすることなく、規格の上限レートやメディアの読み出しレートを守ることが容易になる。再生時間が２倍になること自体は、本発明における目的では問題は少ない。
【００２６】
次に、この様な符号化処理を適用した装置について説明する。
【００２７】
図１は本発明が適用される記録装置の構成を示す図である。
【００２８】
図１において、画像入力部１０１はビデオカメラ等により得られた一連の動画像を示す画像データ列を入力し、フレームメモリ１０２及びフレームカウンタ１０５に出力する。フレームメモリ１０２は後述の様に制御部１０６によりその書き込み及び読み出し動作が制御され、フレームメモリ１０２に書き込まれた画像データは符号化部１０３に出力される。
【００２９】
また、フレームカウンタ１０５は入力された画像データのフレーム数をカウントしカウント値を制御部１０６に出力する。フレームカウンタ１０５は入力画像データのフレーム数を１から所定のフレーム数Ｎまでカウントし、その後自動的に１にリセットする。
【００３０】
制御部１０６は、フレームカウンタ１０５のカウント値に応じてフレームメモリ１０２を制御し、Ｎフレーム期間に１フレームだけフレームメモリ１０２に対して画像入力部１０１からの画像データを書き込み、他の期間は書き込みを禁止する。つまり、入力画像データからＮフレーム毎に１フレームの画像データを抽出してフレームメモリ１０２に書き込む。具体的には例えば、フレームカウンタ１０５のカウント値が１である期間の１フレームをフレームメモリ１０２に書き込む。
【００３１】
そして、制御部１０６はこのフレームメモリ１０２に書き込まれた１フレームの画像データをＮフレーム期間のうち連続したＭフレーム期間、繰り返し読み出して符号化部１０３に供給すると共に、このＭフレームの期間に入力されたＭフレームの画像データを符号化するよう符号化部１０３を制御する。また、このＭフレーム期間以外の期間、即ち（Ｎ−Ｍ）フレーム期間は符号化部１０３による符号化処理を停止させる。
【００３２】
符号化部１０３はこの連続して出力されるＭフレームの画像データのうち、先頭の１フレームは図６（ａ）に示すようにＩピクチャまたはＰピクチャとして符号化し、２番目のフレーム以降はＰピクチャとして符号化する。この様に符号化することで、２番目のフレーム以降は差分が０の符号化データが出力され、符号量が発生することがない。また、このとき、先頭の１フレームのピクチャタイプは所定の順序で決定する。図６では、最初に抽出されたフレーム６０１ａはＩピクチャとし、その後に抽出された２つのフレーム６０１ｂ、６０１ｃはＰピクチャとしている。
【００３３】
このように符号化部１０３で間欠的に符号化されたデータは、記録部１０４に出力される。記録部１０４は符号化された画像データを内部のバッファメモリに蓄積し、所定量の画像データが蓄積されたタイミングで画像データをバッファメモリより読み出し、エラー訂正符号化処理等の処理を施し、更に、フォーマットに従う同期、ＩＤデータやヘッダなどの付加情報などを付加して記録メディアＭに記録する。尚、記録メディアＭは特に限定しないが、周知の磁気テープや磁気ディスク、メモリカードなどを用いることができる。
【００３４】
また、図６に示した例は、Ｍ＝２と固定した場合に相当するが、他の値を使用してもよいし、例えば２、１、２、３…といったようにダイナミックに変更してもよい。十分大きなＭの値を選ぶことで、ＭＰＥＧ規格の上限符号化レートや再生時のメディア読み出しレートを下回るようにできる。設定部１０７はこのＭの値を設定するための構成であり、ユーザが任意に設定することが可能である。
【００３５】
以上説明した様に、本形態によれば、入力された画像データ列より間欠的に１フレームの画像データを抽出し、ＭＰＥＧ符号化により符号化して記録する際、抽出された１フレームの画像データを所定フレーム数繰り返し符号化部に出力し、符号化部においてフレーム間符号化であるＰピクチャとして符号化している。つまり、実質的に符号量が発生しないダミーのフレームを符号化データに挿入しているので、画質を低下させることなくＭＰＥＧ符号化を用いた間欠記録を実現できる。
【００３６】
また、このようにダミーのフレームを挿入することで、画像データを再生する際、再生機器の再生レートを越えてしまい連続再生が不可能になってしまうことがない。
【００３７】
次に、第２の実施形態について説明する。
【００３８】
前述の実施形態ではＭの値をユーザが任意に設定したが、本形態では自動的にＭの値を変更する。図２は本形態の記録装置の構成を示すブロック図である。図２において、制御部１０６によるＭの設定動作に係る処理以外は図１の装置と同様であるため、詳細な説明は省略する。
【００３９】
図２において、制御部１０６は、フレームカウンタ１０５のカウント値に応じてフレームメモリ１０２を制御し、Ｎフレーム期間に１フレームだけフレームメモリ１０２に対して画像入力部１０１からの画像データを書き込み、他の期間は書き込みを禁止する構成は同様である。そして、制御部１０６は符号量比較部１０８からの出力に基づいて決定したＭフレーム期間、メモリ１０２に記憶された１フレームの画像データを読み出して符号化部１０３に出力する。
【００４０】
符号量比較部１０８は符号化部１０３より出力される符号化画像データの符号量を検出する。そして、この符号量をもとに再生時のデータレートを算出し、所定の再生レートＲと比較しその結果を制御部１０６に出力する。
【００４１】
制御部１０６は符号量比較部１０８より現在の符号量に基づくデータレートが再生レートＲよりも大きい場合、Ｍの値を一づつ増加し、再生レートＲを越えなくなった時点でそのときのＭの値を保持する。
【００４２】
その結果、入力画像のフレーム相関が高い場合、Ｍ＝１、即ちＮフレーム毎に１フレームの画像が符号化される。また、フレーム相関が低く、発生符号量が多くなった場合はＭの値が自動的に増やされて差分０を示すＰピクチャの符号化データが挿入される。
【００４３】
この様に、本形態では、画像データの符号量によって挿入するダミーフレームの数を設定するので、必要以上にダミーフレームを挿入することなく、再生速度を低下させることもない。
【００４４】
尚、本形態では符号化画像データから算出した再生レートが所定のレートＲ以下になった時点でのＭの値を保持していたが、このＭの値をダイナミックに変更することも可能である。
【００４５】
その場合、例えば、前述の様にＭの値を決定した後、所定期間経過したらＭの値を１だけ減少する。その時点で符号化されている画像データのフレーム相関が高く、符号量の発生が少なかった場合にはＭの値を少なくしても符号量が所定レートＲを越えることがない。
【００４６】
ここで、図１あるいは図２の符号化部１０３による符号量制御について述べる。
【００４７】
図４（ａ）は、図６（ａ）のようにＮフレーム期間毎に１フレームのダミーフレームＰ’を付加して符号化して画像データを示している。
【００４８】
ＭＰＥＧ符号化の符号量制御方式によれば、ＧＯＰ単位に目標符号量を設定し、更にＧＯＰ内の各ピクチャに対しても予め目標符号量の分配を決めておき、フィードバック制御するのが一般的である。例えば、ＩピクチャがＰピクチャの２倍の比率で符号量を要すると仮定すると、１ＧＯＰ全体の符号量は図４（ｂ）に示すように各ピクチャに分配され、これが符号化時の制御目標となる。
【００４９】
しかしながら、前述のようにダミーフレームを挿入の上符号化を行うと、Ｐ’で示すピクチャはフレーム差分０であり符号量を発生しないため、図４（ｃ）に示すような結果になる。即ち、Ｐ’を符号化した直後では符号量が発生しないため、途中経過として目標符号量を下回り、以後の符号量を増す方向に制御が働く。この結果、本来は符号量を多くしなくても十分な画質が得られる画像部分に対して余分な符号量を使用することになり、全体として効率を悪くしてしまう。
【００５０】
そこで本形態では、Ｐ’で示すピクチャが符号量を発生しないことが予め分かっているので、図４（ｄ）で示すように各ピクチャへの符号量の割り振りを行う。
【００５１】
つまり、この例ではＧＯＰがＩピクチャ１画面、Ｐピクチャ５画面枚の合計６画面のピクチャで構成されているが、符号量の制御についてはＩピクチャ１画面、Ｐピクチャ２画面の合計３画面として目標符号量を割り当てるようにする。これにより、符号量が効率よく割り当てられ、全体として画質向上が期待できる。
【００５２】
また、フレーム差分０を示すのＰピクチャの符号化データは、画像データを直接符号化処理することなく機械的に生成できるため、ＭＰＥＧ符号化手段内のファームウエアを変更することにより、フレーム差分０を示す符号化データを挿入することができる。
【００５３】
即ち、制御部１０６は符号化部１０３に対してフレームメモリ１０２より１フレームの画像データを出力した後、あといくつダミーフレームを挿入すべきかという制御信号を出力する。具体的には、前述の値Ｍから既に符号化部１０３に出力したフレーム数１を引いたＭ−１の値を符号化部１０３に出力する。符号化部１０３ではフレームメモリ１０２から出力された１フレームの画像データを符号化した後、この符号化データに対して差分０を示すＰピクチャの符号化データをＭ−１フレーム分付加し、記録部１０４に出力する。
【００５４】
この様にダミーフレームについて符号化処理を行わない様にすることで、符号化時にメモリへ大量の画像データの読み書きを行わなくて済むので、消費電力を削減できる点である。
【００５５】
また、図１および図２において、フレームメモリは独立したブロックとしているが、符号化部１０３内のフレームメモリ（フレーム順序並べ替え用など）を代用することも可能である。
【００５６】
また、前述の実施形態では、間欠記録処理について説明したが、通常の連続記録処理も勿論可能である。この場合、図１および図２の構成では、符号化部１０３を連続的に動作させることも可能なので、連続記録モードから間欠記録モード、あるいは逆のモード変更もスムーズに行うことが可能である。
【００５７】
また、前述のフレームメモリを用いた抽出処理やダミーフレームを含めた符号化処理などを、マイクロコンピュータやメモリを用いたソフトウェア処理にて実現することも可能である。そして、この際のコンピュータプログラムを記憶した記憶媒体も本発明の範疇となる。
【００５８】
【発明の効果】
以上説明した様に、本発明によれば、ＭＰＥＧ符号化方式のような画面間の相関を用いて符号化して間欠記録する場合であっても、画質を低下させることなく連続再生画可能となる。
【図面の簡単な説明】
【図１】本発明が適用される記録装置の構成を示す図である。
【図２】本発明が適用される記録装置の構成を示す図である。
【図３】ＭＰＥＧ方式における符号化処理を示す図である。
【図４】符号量制御の様子を示す図である。
【図５】間欠記録時における符号化データの様子を示す図である。
【図６】間欠記録時におけるダミーフレームを含めた符号化データの様子を示す図である。
【図１】
2004064210.tif 000003
【図２】
2004064210.tif 000004
【図３】
2004064210.tif 000005
【図４】
2004064210.tif 000006
【図５】
2004064210.tif 000007
【図６】
2004064210.tif 000008